(57)【特許請求の範囲】
【請求項１】
半閉じ柔軟性袋において、
底部と；
前記底部の反対側に位置し、開口を形成する２つの対向部分を備える上縁と；
前記上縁の前記２つの対向部分に配置された、かみ合い式機械的シールと；
を有し；
前記２つの対向部分が、全体的に正弦波形であり、前記正弦波形を有する前記２つの対向部分が、前記柔軟性袋が開いている時に異なる位相を有し、前記柔軟性袋が閉じている時に同一の位相を有し；
前記半閉じ柔軟性袋が、全体的に平面状であり；
前記異なる位相を有する前記２つの対向部分が、前記半閉じ柔軟性袋の平面内に位置することを特徴とする半閉じ柔軟性袋。
【請求項２】
前記かみ合い式機械的シールを開く又は閉じるためのスライダーを有する、請求項１に記載の半閉じ柔軟性袋。
【発明の詳細な説明】
【０００１】
発明の属する分野
本発明は柔軟性貯蔵袋、特に腐り易い材料はじめ各種物品を収容し保護するための使用に適当な袋に広く採用されるクロージャーに関する。
【０００２】
発明の背景
各種物品の収容及び保護、さらには食品のような腐り易い材料の保護の為の使用に適当な柔軟性貯蔵袋は従来技術において周知である。この様な袋は典型的には、２つの柔軟性対向側壁、３つのシールされ又は折り曲げられた縁、及び１つの開口の縁を有する半閉じ容器を形成するために、それ自体に折り重ねられて２つの縁に沿ってシールされた高分子フィルムの長方形のシートからなっている。かみ合いリブ型シールのような袋と一体に形成された、又はプラスチック又は紙被覆ワイヤのタイのように個別に提供されたクロージャーが、収納アセンブリを完成する。
【０００３】
本明細書で使用するときには、用語「柔軟性」は、特に反復する屈曲又は曲げが可能なので、柔軟で、外部から加えられた力に応じて容易に変形し得る材料をいうために使用される。したがって「柔軟性」は、この意味において、実質的に、撓まない、硬い、又は変形しないという用語と対立する。それ故、柔軟である材料と構造物は、外力に順応して一体性を失うことなく、接触する対象物の形状に良く合致するように形状及び構造を変えることが出来る。上述の多様性をもつ柔軟性貯蔵袋は典型的には、厚さが０．００５０８ｍｍ乃至０．０５０８ｍｍ(約０．０００２インチ乃至０．００２インチ)の、ポリエチレンその他のポリオレフィン系の物質の様な高分子フィルムで形成される。この様な高分子フィルムはしばしば透明で、時に不透明又は有色のこともある。
【０００４】
最近の市販の各種の柔軟性貯蔵袋は、広範囲の物品や材料を一般に使い捨て可能の収納装置の中に便利に貯蔵する手段を提供する。多くの市販の柔軟性貯蔵袋は、その袋の開口の密閉を具現する為に機械的かみ合いシールを使用し、その様な袋のあるものは機械的かみ合いシールの開閉容易性改善のために摺動式機械的クロージャーを補助的に採用している。どちらのタイプの機械的かみ合いシールについても、所望の密閉操作の完成実現のためには、完全な密閉が事実上、袋の開口の一方から反対側へ横断して完了したかどうかを決定するという課題が残っている。
【０００５】
したがって、完全な密閉が達成された時に明白な表示を与えるクロージャーを提供することが切望されている。
【０００６】
発明の要旨
本発明は開口と、この開口を閉じるための密閉装置と、密閉表示器とを有する柔軟性貯蔵袋を提供する。この袋は半閉じであって、２つの上縁で形成された開口を有する。密閉表示器は、この袋の開放又は密閉状態に応じて位置を変える。
【０００７】
一実施例では、密閉表示器は、この袋の開口を画定する、不揃いの２つの上縁を有する。２つの上縁は、袋を開放した時に不揃いであるが、この袋を密閉した時に２つの上縁は、実質的に同一直線上にある。一実施例では、この袋は全体として平面状であり、不揃いの２つの上縁がこの袋の平面内に位置する。
【０００８】
他の実施例では、密閉表示器は機械的シールからなる。この機械的シールは、スライダーにより作動する。
【０００９】
発明の詳細な説明
図１は本発明に基く柔軟性貯蔵袋１０の好ましい実施例を示す。図１は袋１０の面内に位置する不揃いを有する概ね平らな袋１０を示す。図１に示す実施例では、柔軟性貯蔵袋１０は袋本体２０を有し、この袋本体２０は１枚の柔軟なシート状の材料で作られ、このシート状の材料折り目２２によってそれ自体の上に折り重ねられ、側部継目２４、２６に沿って接着されて、上縁３０に沿った開口を有する半閉じ容器を形成する。柔軟性貯蔵袋１０は、充分密閉されたコンテナ又は容器を形成するために、上縁３０をシールのため上縁３０に隣接して配置された機械的クロージャー・システム４０をも有する。例えば図１の柔軟性貯蔵袋１０のような袋も、シート状の材料の連続した管で構成され、それによって、側部継目２４、２６を排除し、底部の継目を折り目２２の代用にすることが出来る。機械的クロージャー・システム４０は任意の従来設計のかみ合い型機械的シールを有し、かみ合い型機械的シールを開閉するために図１の実施例に示すような摺動型機械的要素（スライダー）５０を選択的に有することが出来る。この摺動型機械的クロージャー５０は採用するかみ合い型機械的シールの形式として適当な従来型設計を有することが出来る。かみ合い型機械的シールは、相補的なかみ合い形状、相補的なかみ合い形状を有し対向して対をなすリブ／溝、又は従来公知のような他の構成を有することが出来る。
【００１０】
図１は開かれ又はしっかり閉じられていない位置に有るクロージャー４０を有する柔軟性袋１０を示す。この位置では、上縁３０の対向する両部分はクロージャー４０によって画定され、好ましくはクロージャー４０の機械的かみ合い型シールのかみ合う部分の実質的に完全な不揃いを有する、異なる輪郭形状を示す。したがって、袋１０をどちらか一方の側から見る消費者に、その袋１０が実際にしっかり閉じられていないこと、それにより、対応する目視表示を提供することは既に明らかである。上縁３０とクロージャー４０の対向両部分は、その形状が充分異なり所望の目視表示を与える限り、正弦波か、又は任意所望の形状を有することが出来る。
【００１１】
図２は、選択的なスライダー５０を「Ｃ」の方向に移動させ、それにより、上縁３０の対向する両部分を、クロージャー４０と共に、不揃いが解消されるまで引くことによって充分にしっかりと閉じられたクロージャー４０を有する柔軟性袋１０を示す。開口を形成する袋１０の上縁３０の形状の変化によって、首尾良く密封が達成されたことを表示するその時の対応形状を有するクロージャー４０の状況の明瞭な目視表示が、提供される。
【００１２】
図１乃至図２の袋１０の上縁３０は任意の不規則な形状を有することが出来、この形状は、この袋１０が開かれた時に、この袋１０の不揃いを提供する。上縁３０は好ましい実施例では正弦波形の形状である。認識すべきは、上縁３０、クロージャー４０、又はその両者が、実質的に同一直線上にあり、図１乃至２の袋１０が閉じられたときに不揃いを解消させ得ることである。
【００１３】
本発明に基く柔軟性貯蔵袋１０を構成するための各種の構成要素は、本来的に主として二次元であるか、又は三次元構造に形成された、実質的に不透過性の材料、例えば塩化ビニル（ＰＶＣ）、ポリ塩化ビニリデン（ＰＶＤＣ）、ポリエチレン（ＰＥ）、ポリプロピレン（ＰＰ）、アルミニュウム箔、コート（ワックス等）紙と非コート紙、コート不織布等、及び実質的に透過性の材料、例えば、スクリム、網、織布、不織布、又は有孔或いは多孔のフィルム等が、含まれている。この様な材料は単一構造又は層からなるものでも良く、又は所定の物質の担体として使用される基質材料をはじめ多数の材料の複合材料でも良い。
【００１４】
一旦所望のシート材料が、任意の望ましく適当な方法で製造され、袋本体２０に使用すべき材料の全て又は一部からなるときには、袋１０は、任意公知の適当な方法、例えばこの様な袋１０を商業的に利用できる形で製造するための従来公知の技術でつくることが出来る。加熱又は接着シールの技術は、袋１０の各種の構成部材又は構成要素を、それ自体で又は相互に接合する為に利用することが出来る。さらに、袋本体２０は、熱成形加工、ブロー成形加工、又はウエブ又はシートの材料から袋本体２０をつくるための折り曲げ及び接着技術に依存しない他のモールド加工を施すことが出来る。最近の２件の米国特許明細書は、上述の全体の構造に類似で最近利用できるタイプの柔軟性貯蔵袋１０に関する技術の状態を説明したもので、１９９６年９月１０日発行のポーシャ（Ｐｏｒｃｈｉａ）他の米国特許第５，５５４，０９３号明細書、及び、１９９６年１１月１９日発行のダイス（Ｄａｉｓ）他の米国特許第５，５７５，７４７号明細書である。
【００１５】
本発明の独特の実施例を説明したが、各種の他の変更及び改良が本発明の精神及び範囲を逸脱することなく可能であることは、当業者には明らかである。それ故、本発明の範囲内にあるこの様な全ての変更及び改良を添付の請求の範囲に含めることを意図している。
【図面の簡単な説明】
本明細書は本発明のクレームを詳細に指摘して明瞭に説明した請求の範囲を添付したが、本発明が添付図面と関連付けた以下の説明によってより良く理解されるものと確信しており、この図面では参照数字が類似の構成要素と同じものとして識別されている。
【図１】  図１は本発明に基く密閉表示器を採用した開かれた柔軟性袋の立面図であり、この袋は平らで、密閉表示器がこの袋の面内にある。
【図２】  図２は図１の袋の充分に閉じられた状態における立面図である。
【図１】
0004817571.tif 000002
【図２】
0004817571.tif 000003